(57)【特許請求の範囲】
【請求項１】
複数の画像を表示する表示部と、
前記表示部の周囲に配置され、複数の機器のそれぞれの操作を行なう機器操作部と、
前記表示部又は前記機器操作部に設けられ、前記表示部又は前記機器操作部へのタッチ操作を検出するタッチ検出部と、
前記タッチ検出部により前記表示部又は前記機器操作部へのタッチ操作の状態を検出し、検出されたタッチ操作が前記機器操作部から前記表示部へ向ってのフリック操作であるかどうかを判断し、前記判断に基づいて、フリック操作された機器操作部の操作メニューを前記表示部に表示する制御部と、
を有することを特徴とする表示入力装置。
【請求項２】
前記タッチ検出部は、前記表示部及び前記機器操作部に設けられていることを特徴とする請求項１に記載の表示入力装置。
【請求項３】
前記タッチ検出部は、前記表示部のみに設けられていることを特徴とする請求項１に記載の表示入力装置。
【発明の詳細な説明】
【技術分野】
【０００１】
本発明は、表示入力装置に関する。
【背景技術】
【０００２】
従来の入力表示装置として、接続された車載機器の情報を表示部に表示するものがある。例えば、表示装置へのユーザの指先の接近を検知し、どの車載機器を操作対象としているかを判断する。ユーザの操作対象と判断されていない車載機器の情報は縮小して表示され、ユーザの操作対象と判断された車載機器は機器状態画像の近傍に指示画像が表示される入力表示装置がある（例えば、特許文献１参照）。
【０００３】
この入力表示装置によれば、標準画面では指示画像は表示されないため、その分、車載機器の状態を表す情報が大きく表示され、ユーザは情報を確認し易い。また、操作画面では、ユーザが操作する車載機器についてのみ、指示画像が表示され、他の車載機器の指示画像は表示されない。そのため指示画像を大きく表示することができ、ユーザは指示画像の入力を容易に行うことができるとされている。
【先行技術文献】
【特許文献】
【０００４】
【特許文献１】特開２００９−７５６５６号公報
【発明の概要】
【発明が解決しようとする課題】
【０００５】
しかし、従来の表示入力装置は、表示部に表示された複数の車載機器の操作部分を探す必要があり、操作時の負荷が増加する。また、表示部に複数の車載機器の表示がされるので、デザイン的に煩雑になるという問題もあった。
【０００６】
従って、本発明の目的は、直感的な操作により、操作したい機器のメニュー起動が容易にできる表示入力装置を提供することにある。
【課題を解決するための手段】
【０００７】
［１］本発明は、上記目的を達成するために、複数の画像を表示する表示部と、前記表示部の周囲に配置され、複数の機器のそれぞれの操作を行なう機器操作部と、前記表示部又は前記機器操作部に設けられ、前記表示部又は前記機器操作部へのタッチ操作を検出するタッチ検出部と、前記タッチ検出部により前記表示部又は前記機器操作部へのタッチ操作の状態を検出し、検出されたタッチ操作が前記機器操作部から前記表示部へ向ってのフリック操作であるかどうかを判断し、前記判断に基づいて、フリック操作された機器操作部の操作メニューを前記表示部に表示する制御部と、を有することを特徴とする表示入力装置を提供する。
【０００８】
［２］前記タッチ検出部は、前記表示部及び前記機器操作部に設けられていることを特徴とする上記［１］に記載の表示入力装置であってもよい。
【０００９】
［３］また、前記タッチ検出部は、前記表示部のみに設けられていることを特徴とする上記［１］に記載の表示入力装置であってもよい。
【発明の効果】
【００１０】
本発明によれば、直感的な操作により、操作したい機器のメニュー起動が容易にできる表示入力装置を提供することができる。
【図面の簡単な説明】
【００１１】
【図１】図１は、第１の実施の形態に係る表示入力装置が搭載された車両内の外観図である。
【図２】図２は、第１の実施の形態に係る表示入力装置の詳細を示す正面図である。
【図３】図３は、第１の実施の形態に係る表示入力装置の構成を示すブロック図である。
【図４】図４（ａ）は、第１の実施の形態に係る表示入力装置のフリック操作を説明するための概略図であり、図４（ｂ）は、別のフリック操作を説明するための概略図である。
【図５】図５は、第１の実施の形態に係る表示入力装置の動作を説明するためのフローチャートである。
【図６】図６は、第２の実施の形態に係る表示入力装置の詳細を示す正面図である。
【図７】図７は、第２の実施の形態に係る表示入力装置の構成を示すブロック図である。
【図８】図８は、第２の実施の形態に係る表示入力装置の動作を説明するためのフローチャートである。
【発明を実施するための形態】
【００１２】
(第１の実施の形態に係る表示入力装置)
（表示入力装置１の構成）
本発明の第１の実施の形態に係る表示入力装置は、複数の画像を表示する表示部であるセンター表示部１４と、センター表示部１４の周囲に配置され、複数の機器（例えば、Ｄ席エアコン４００、Ｐ席エアコン５００、オーディオ６００、走行系制御機器７００）のそれぞれの操作を行なう機器操作部（Ｄ席エアコンエリア４０１、Ｐ席エアコンエリア５０１、オーディオエリア６０１、走行系エリア７０１）と、センター表示部１４又は機器操作部（４０１、５０１、６０１、７０１）に設けられ、センター表示部１４又は機器操作部（４０１、５０１、６０１、７０１）へのタッチ操作を検出するタッチ検出部１２５、各エリアの静電容量電極（４２０、５２０、６２０、７２０）と、タッチ検出部１２５、各エリアの静電容量電極（４２０、５２０、６２０、７２０）によりセンター表示部１４又は機器操作部（４０１、５０１、６０１、７０１）上でのタッチ操作の状態を検出し、検出されたタッチ操作が機器操作部（４０１、５０１、６０１、７０１）からセンター表示部１４へ向ってのフリック操作であるかどうかを判断し、この判断に基づいて、フリック操作された機器操作部（４０１、５０１、６０１、７０１）の操作メニューをセンター表示部１４に表示する制御部２０と、を有する。
【００１３】
この表示入力装置は、センター表示部１４の周囲に、複数の機器（例えば、Ｄ席エアコン４００、Ｐ席エアコン５００、オーディオ６００、走行系制御機器７００）のそれぞれの操作を行なう機器操作部（Ｄ席エアコンエリア４０１、Ｐ席エアコンエリア５０１、オーディオエリア６０１、走行系エリア７０１）を配置し、センター表示部１４に設けられたタッチ検出部１２５及び機器操作部（４０１、５０１、６０１、７０１）に設けられた各エリアの静電容量電極（４２０、５２０、６２０、７２０）により、機器操作部（４０１、５０１、６０１、７０１）からセンター表示部１４へ向ってのフリック操作を検出し、このフリック操作の検出判断に基づいて、フリック操作された機器操作部（４０１、５０１、６０１、７０１）の操作メニューをセンター表示部１４に表示するものである。これにより、操作したい機器からセンター表示部１４へ向ってのフリック操作という直感的な操作により、操作したい機器のメニュー起動が容易にできる入力表示装置を提供することができる。
【００１４】
フリック操作とは、タッチセンサ、タッチパネルにおける操作の一種で、画面を軽く払うように指やスタイラスペンを動かし、画面内のページや項目を次へ移動させる操作のことである。なお、フリック操作は、フリック入力、フリック（flick）ともいう。
【００１５】
（センター表示部の構成）
センター表示部１４は、車両６のセンターコンソール６０に装着される、例えば、ＴＦＴ（Thin Film Transistor）型等の周知の液晶ディスプレイである。このセンター表示部１４は、例えば、制御部２０の表示コントローラ２２に接続され、表示コントローラ２２から出力される表示信号に基づいて表示画面１４０に画像を表示させる。
【００１６】
（機器操作部）
センター表示部１４の周囲には、機器操作部として、Ｄ席エアコンエリア４０１、Ｐ席エアコンエリア５０１、オーディオエリア６０１、走行系エリア７０１がそれぞれ配置されている。Ｄ席エアコンエリア４０１、Ｐ席エアコンエリア５０１、オーディオエリア６０１、走行系エリア７０１は、それぞれ、Ｄ席エアコン４００、Ｐ席エアコンエリア５００、オーディオ６００、走行系制御機器７００を操作する領域であり、操作ダイヤルやその機器で常時表示するための表示等が備えられている。
【００１７】
機器操作部により操作されて制御される、Ｄ席エアコン４００、Ｐ席エアコンエリア５００、オーディオ６００、走行系制御機器７００等の機器は、図３に示すように、ＬＩＮ、ＣＡＮ等の車載ＬＡＮ７０を介して制御部２０と接続されている。
【００１８】
Ｄ席エアコンエリア４０１は、図２に示すように、センター表示部１４の右側に配置され、Ｄ席エアコン４００を操作するダイヤル４１０を備え、Ｄ席エアコンの温度を常時表示する温度表示４１２を備えている。また、Ｄ席エアコンエリア４０１には、操作者の指等のタッチ（近接又は接触）を検出する静電容量電極４２０が配置されている。この静電容量電極４２０は、例えば、透明電極（ＩＴＯ）を、本実施の形態では図２に示すように、縦方向に短冊状として、静電容量電極４２１、４２２、４２３、４２４を並べて配置している。Ｄ席エアコンエリアからの電極信号を時系列で検出することにより、静電容量電極４２０へのタッチ操作の方向が検出でき、フリック操作がされたかどうかを判断することができる。
【００１９】
Ｄ席エアコンエリアからの電極信号が時系列で、図３に示す制御部に入力される場合に、例えば、静電容量電極４２１、４２２、４２３、４２４の順に信号が入力されれば、Ｄ席エアコンエリア４０１からセンター表示部１４へ向ってフリック操作がされたと判断できる。静電容量電極４２１、４２２、４２３、４２４の一部の電極が、この順番に入力された場合もフリック操作がされたと判断できる。
【００２０】
Ｐ席エアコンエリア５０１は、図２に示すように、センター表示部１４の左側に配置され、Ｐ席エアコン５００を操作するダイヤル５１０を備え、Ｐ席エアコンの温度を常時表示する温度表示５１２を備えている。また、Ｐ席エアコンエリア５０１には、操作者の指等のタッチ（近接又は接触）を検出する静電容量電極５２０が配置されている。この静電容量電極５２０は、例えば、透明電極（ＩＴＯ）を、本実施の形態では図２に示すように、縦方向に短冊状として、静電容量電極を並べて配置している。Ｐ席エアコンエリアからの電極信号を時系列で検出することにより、静電容量電極５２０へのタッチ操作の方向が検出でき、フリック操作がされたかどうかを判断することができる。フリック操作の判断は、Ｄ席エアコンエリア４０１での判断と同様の手法により可能である。
【００２１】
オーディオエリア６０１は、図２に示すように、センター表示部１４の上側に配置され、オーディオ６００を操作するダイヤル６１０を備え、メディア挿入口６１２を備えている。また、オーディオエリア６０１には、操作者の指等のタッチ（近接又は接触）を検出する静電容量電極６２０が配置されている。この静電容量電極６２０は、例えば、透明電極（ＩＴＯ：Indium Tin Oxide）を、本実施の形態では図２に示すように、横方向に短冊状として、静電容量電極を並べて配置している。オーディオエリアからの電極信号を時系列で検出することにより、静電容量電極６２０へのタッチ操作の方向が検出でき、フリック操作がされたかどうかを判断することができる。フリック操作の判断は、Ｄ席エアコンエリア４０１での判断と同様の手法により可能である。
【００２２】
走行系エリア７０１は、図２に示すように、センター表示部１４の下側に配置され、走行系制御機器としてシフト操作部７１０、ハザードランプ７１４を備えている。また、走行系エリア７０１には、操作者の指等のタッチ（近接又は接触）を検出する静電容量電極７２０が配置されている。この静電容量電極７２０は、例えば、透明電極（ＩＴＯ）を、本実施の形態では図２に示すように、横方向に短冊状として、静電容量電極を並べて配置している。走行系エリアからの電極信号を時系列で検出することにより、静電容量電極７２０へのタッチ操作の方向が検出でき、フリック操作がされたかどうかを判断することができる。フリック操作の判断は、Ｄ席エアコンエリア４０１での判断と同様の手法により可能である。
【００２３】
（タッチセンサ部）
タッチセンサ部１２は、例えば、操作者の体の一部（例えば、指）や専用のペンでカバーガラス１２０の検出面１２１に触れた場合、触れた検出面１２１上の位置を検出するタッチセンサである。操作者は、例えば、検出面１２１に操作を行うことにより、接続された機器の操作及び入力を行うことが可能となる。タッチセンサ部１２としては、例えば、周知の抵抗膜方式、赤外線方式、ＳＡＷ方式、静電容量方式等のタッチパネルを用いることが可能である。
【００２４】
本実施の形態に係るタッチセンサ部１２は、例えば、検出面１２１に指が近づくことによる、第１の電極１２２及び第２の電極１２３と指との距離に反比例した電流の変化を検出信号として出力する静電容量方式のタッチセンサである。
【００２５】
このタッチセンサ部１２は、例えば、図３に示すように、カバーガラス１２０と、第１の電極１２２及び第２の電極１２３と、を備えて概略構成されている。
【００２６】
カバーガラス１２０は、例えば、ガラスを用いて、板状に形成される。
【００２７】
第１の電極１２２及び第２の電極１２３は、例えば、透明電極、ＩＴＯ（Indium Tin Oxide）を用いて、カバーガラス１２０上に形成される。
【００２８】
第１の電極１２２及び第２の電極１２３は、例えば、図３に示すように、紙面の縦方向及び横方向に沿って並んでいる。本実施の形態では、図３の紙面の横方向をｘ軸、縦方向をｙ軸とし、タッチセンサ部１２の左上を原点としている。
【００２９】
ｘ軸方向には、例えば、ｍ個の第２の電極１２３が等間隔で並んでいる。このｍは、例えば、正の整数である。この第２の電極１２３は、例えば、タッチ検出部１２５と接続され、タッチ検出部１２５は、クロック信号に応じて順番に第２の電極１２３に接続して静電容量を読み出す。
【００３０】
ｙ軸方向には、例えば、ｎ個の第１の電極１２２が等間隔で並んでいる。このｎは、例えば、正の整数である。この第１の電極１２２は、例えば、駆動部１２４と接続され、駆動部１２４は、クロック信号生成部３６が生成するクロック信号に応じて順番に電圧を供給する。この電圧は、例えば、図３に示すように、車両６の電源より供給、或いは、表示入力装置１の動作に必要な電圧に調整されて供給される。
【００３１】
ｙ軸に平行に並べられた第２の電極１２３は、例えば、ｘ軸に平行に並べられた第１の電極１２２よりも検出面１２１に近い層に形成されている。また、第１の電極１２２は、例えば、第２の電極１２３と電気的に絶縁されている。
【００３２】
ここで、ｘ軸の座標は、ｘに下付きの数字（１〜ｍ）を付して、左から右に向かってｘ１〜ｘｍと示すものとする。また、ｙ軸の座標は、ｙに下付きの数字（１〜ｎ）を付して、上から下に向かってｙ１〜ｙｎと示すものとする。
【００３３】
具体的には、駆動部１２４は、例えば、ｙ１の第１の電極１２２〜ｙｎの第１の電極１２２の順番で電圧を供給する。また、タッチ検出部１２５は、例えば、ｘ１の第２の電極１２３〜ｘｍの第２の電極１２３の順番に静電容量を読み出すように構成されている。
【００３４】
タッチ検出部１２５は、例えば、読み出した各第２の電極１２３の静電容量の値（静電容量値）に基づいて、座標値（ｘｍの静電容量値、ｙｎの静電容量値、ｔ）を生成し、検出信号としてセンサコントローラ３４に出力するように構成されている。なお、時間ｔは、例えば、クロック信号が出力された時刻を示している。
【００３５】
（制御部）
制御部２０は、例えば、プログラムに従って、取得したデータに演算、加工等を行うＣＰＵ、半導体メモリであるＲＡＭ（Random Access Memory）及びＲＯＭ（Read Only Memory）等から構成される。このＲＯＭには、例えば、ＣＰＵが動作するためのプログラム等が格納されている。ＲＡＭは、例えば、一時的に演算結果等を格納する記憶領域として用いられる。
【００３６】
制御部２０は、例えば、図３に示すように、表示コントローラ２２、判断部２４、表示画像生成部２６、制御部３２、センサコントローラ３４、及び、クロック信号生成部３６を備えて概略構成されている。
【００３７】
表示コントローラ２２は、例えば、表示画像生成部２６から出力された表示画像情報２６０に基づいて表示信号を生成し、表示信号に基づいた画像をセンター表示部１４に表示させるように構成されている。
【００３８】
判断部２４は、例えば、タッチセンサ部１２のタッチ検出部１２５から取得した検出信号に基づいた座標値から、指が接触、又は近づいた座標を算出する。この座標の算出方法は、例えば、加重平均を用いた方法等の周知の方法が用いられる。そして、判断部２４は、算出した少なくとも１つの座標の時間変化から、フリック操作を判断する。なお、他の操作として、例えば、タップ操作、スライド操作、ジェスチャ操作、長押操作、ドラッグアンドドロップ操作等の操作を判断することが可能である。
【００３９】
フリック操作とは、センター表示部１４の検出面１２１、Ｄ席エアコンエリア４０１の静電容量電極４２０、Ｐ席エアコンエリア５０１の静電容量電極５２０、オーディオエリア６０１の静電容量電極６２０、走行系エリア７０１の静電容量電極７２０の上で、軽く指で払う又は指ではじくような操作である。
【００４０】
図４（ａ）は、第１の実施の形態に係る表示入力装置のフリック操作を説明するための概略図であり、図４（ｂ）は、別のフリック操作を説明するための概略図である。図４（ａ）は、指８００を、Ｄ席エアコンエリア４０１からセンター表示部１４へ向って（右から左に向って）フリック操作する場合を示している。図３で示す、Ｄ席エアコンエリア４０１からの電極信号は、静電容量電極４２１、４２２、４２３、４２４から順に静電検出信号が制御部２０に入力される。あるいは、静電容量電極４２１、４２２、４２３、４２４の一部の電極から順に静電検出信号が制御部２０に入力される。また、センター表示部１４では、ｘ軸方向に配置された第２の電極１２３において、ｘｍの第２の電極１２３からｘ１の第２の電極１２３へ向って順に静電容量の検出信号がタッチ検出部１２５から入力される。あるいは、ｘｍの第２の電極１２３からｘ１の第２の電極１２３へ向って一部の電極から順に静電容量の検出信号がタッチ検出部１２５から入力される。上記示した方向の検出信号が制御部２０に入力された場合、判断部２４は、Ｄ席エアコンエリア４０１からセンター表示部１４へ向ってフリック操作がされたと判断することができる。このとき、Ｄ席エアコンエリア４０１の機器操作メニューがセンター表示部１４に表示される。
【００４１】
なお、判断部２４は、上記のＤ席エアコンエリア４０１からの電極信号、センター表示部１４からの検出信号のそれぞれの入力信号に基づいてフリック操作を判断できる。また、Ｄ席エアコンエリア４０１からの電極信号及びセンター表示部１４からの検出信号に基づいてフリック操作を判断できる。両者の信号からフリック操作を判断する場合は、それぞれの検出信号がフリック操作と判断された場合にＤ席エアコンエリア４０１からセンター表示部１４へ向かうフリック操作とすることができ、また、両者の信号を時系列でマージした入力信号に基づいてフリック操作と判断することもできる。
【００４２】
図４（ｂ）は、指８００を、オーディオエリア６０１からセンター表示部１４へ向って（上から下に向って）フリック操作する場合を示している。図３で示す、オーディオエリア６０１からの電極信号は、静電容量電極６２１、６２２、６２３、６２４から順に静電検出信号が制御部２０に入力される。あるいは、静電容量電極６２１、６２２、６２３、６２４の一部の電極から順に静電検出信号が制御部２０に入力される。また、センター表示部１４では、ｙ軸方向に配置された第１の電極１２２において、ｙ１の第１の電極１２２からｙｍの第１の電極１２２へ向って順に静電容量の検出信号がタッチ検出部１２５から入力される。あるいは、ｙ１の第１の電極１２２からｙｍの第１の電極１２２へ向って一部の電極から順に静電容量の検出信号がタッチ検出部１２５から入力される。上記示した方向の検出信号が制御部２０に入力された場合、判断部２４は、オーディオエリア６０１からセンター表示部１４へ向ってフリック操作がされたと判断することができる。このとき、オーディオエリア６０１の機器操作メニューがセンター表示部１４に表示される。
【００４３】
なお、フリック操作の判断手法は、上記のＤ席エアコンエリア４０１でのものと同様である。また、Ｐ席エアコンエリア５０１、走行系エリア７０１からセンター表示部１４へ向ってのフリック操作の場合も同様であるので、説明を省略する。
【００４４】
（表示画像生成部）
表示画像生成部２６は、例えば、判断部２４によりフリック操作と判断された場合に、そのフリック操作がされた起点となるエリアに対応する操作メニュー、例えば、Ｄ席エアコンエリア４０１の機器操作メニューを生成するように構成されている。表示画像生成部２６は、例えば、センター表示部１４に表示させる表示画像の情報である表示画像情報２６０を生成して表示コントローラ２２に出力する。なお、表示画像情報２６０は、例えば、表示画面１４０の全域に表示される背景画像の情報を含む。この背景画像は、例えば、いくつかの操作を組み合わせて行うことにより変更も可能である。
【００４５】
（表示入力装置１の動作）
図５は、第１の実施の形態に係る表示入力装置の動作を説明するためのフローチャートである。以下、このフローチャートに従って説明する。
【００４６】
表示入力装置１の動作がスタートすると、判断部２４は、センター表示部１４のタッチ検出部１２５がタッチ検出されたかどうかを判断する（Ｓｔｅｐ０１）。このタッチ検出の判断は、このフローの中止を示す割込み信号が入力されるまで繰返して行なわれる。タッチ検出された場合は、Ｓｔｅｐ０２へ進み、タッチ検出されない場合は、Ｓｔｅｐ０３へ進む。
【００４７】
次に、Ｄ席エアコンエリア４０１からセンター表示部１４へ向ってのフリック操作かどうかを判断する（Ｓｔｅｐ０２）。フリック操作と判断された場合は、センター表示部１４にＤ席エアコンの操作メニューを表示してこのフローを終了する（Ｓｔｅｐ０４）。フリック操作と判断されない場合は、このフローを終了する。
【００４８】
Ｄ席エアコンエリア４０１の静電容量電極がタッチ検出したかどうかを判断する（Ｓｔｅｐ０３）。タッチ検出された場合は、Ｓｔｅｐ０２へ進み、タッチ検出されない場合は、Ｓｔｅｐ０５へ進む。
【００４９】
次に、Ｐ席エアコンエリア５０１の静電容量電極がタッチ検出したかどうかを判断する（Ｓｔｅｐ０５）。タッチ検出された場合は、Ｓｔｅｐ０６へ進み、タッチ検出されない場合は、Ｓｔｅｐ０８へ進む。
【００５０】
Ｐ席エアコンエリア５０１からセンター表示部１４へ向ってのフリック操作かどうかを判断する（Ｓｔｅｐ０６）。フリック操作と判断された場合は、センター表示部１４にＰ席エアコンの操作メニューを表示してこのフローを終了する（Ｓｔｅｐ０７）。フリック操作と判断されない場合は、このフローを終了する。
【００５１】
オーディオエリア６０１の静電容量電極がタッチ検出したかどうかを判断する（Ｓｔｅｐ０８）。タッチ検出された場合は、Ｓｔｅｐ０９へ進み、タッチ検出されない場合は、Ｓｔｅｐ１１へ進む。
【００５２】
オーディオエリア６０１からセンター表示部１４へ向ってのフリック操作かどうかを判断する（Ｓｔｅｐ０９）。フリック操作と判断された場合は、センター表示部１４にオーディオの操作メニューを表示してこのフローを終了する（Ｓｔｅｐ１０）。フリック操作と判断されない場合は、このフローを終了する。
【００５３】
走行系エリア７０１の静電容量電極がタッチ検出したかどうかを判断する（Ｓｔｅｐ１１）。タッチ検出された場合は、Ｓｔｅｐ１２へ進み、タッチ検出されない場合は、このフローを終了する。
【００５４】
走行系エリア７０１からセンター表示部１４へ向ってのフリック操作かどうかを判断する（Ｓｔｅｐ１２）。フリック操作と判断された場合は、センター表示部１４に走行系の操作メニューを表示してこのフローを終了する（Ｓｔｅｐ１３）。フリック操作と判断されない場合は、このフローを終了する。
【００５５】
以上示した一連の動作は、車両６の走行中や停車中等に常時行なうことができる。これにより、センター表示部１４に操作メニューを表示させたい機器の機器操作部からセンター表示部へ向ってフリック操作をすることで、所望の操作メニューを表示させることができる。これにより、直感的な操作により、操作したい機器のメニュー起動が容易にできる入力表示装置を提供することができる。
【００５６】
(第２の実施の形態に係る表示入力装置)
（表示入力装置１の構成）
本発明の第２の実施の形態に係る表示入力装置は、第１の実施の形態において、機器操作部（Ｄ席エアコンエリア４０１、Ｐ席エアコンエリア５０１、オーディオエリア６０１、走行系エリア７０１）のそれぞれの静電容量電極（４２０、５２０、６２０、７２０）を省略し、センター表示部１４のタッチセンサ部１２上でのみフリック操作を検出するものである。
【００５７】
図６は、第２の実施の形態に係る表示入力装置の詳細を示す正面図である。図７は、第２の実施の形態に係る表示入力装置の構成を示すブロック図である。本発明の第２の実施の形態に係る表示入力装置は、複数の画像を表示する表示部であるセンター表示部１４と、センター表示部１４の周囲に配置され、複数の機器（例えば、Ｄ席エアコン４００、Ｐ席エアコン５００、オーディオ６００、走行系制御機器７００）のそれぞれの操作を行なう機器操作部（Ｄ席エアコンエリア４０１、Ｐ席エアコンエリア５０１、オーディオエリア６０１、走行系エリア７０１）と、センター表示部１４に設けられセンター表示部１４上でのタッチ操作を検出するタッチ検出部１２５と、タッチ検出部１２５によりセンター表示部１４へのタッチ操作の状態を検出し、検出されたタッチ操作が機器操作部（４０１、５０１、６０１、７０１）からセンター表示部１４へ向ってのフリック操作であるかどうかを判断し、この判断に基づいて、フリック操作された機器操作部（４０１、５０１、６０１、７０１）の操作メニューをセンター表示部１４に表示する制御部２０と、を有する。
【００５８】
この表示入力装置は、センター表示部１４の周囲に、複数の機器（例えば、Ｄ席エアコン４００、Ｐ席エアコン５００、オーディオ６００、走行系制御機器７００）のそれぞれの操作を行なう機器操作部（Ｄ席エアコンエリア４０１、Ｐ席エアコンエリア５０１、オーディオエリア６０１、走行系エリア７０１）を配置し、センター表示部１４に設けられたタッチ検出部１２５により、機器操作部（４０１、５０１、６０１、７０１）からセンター表示部１４へ向ってのフリック操作を検出し、このフリック操作の検出判断に基づいて、フリック操作の起点に対応する機器操作部（４０１、５０１、６０１、７０１）の操作メニューをセンター表示部１４に表示するものである。これにより、操作したい機器からセンター表示部１４へ向ってのフリック操作という直感的な操作により、操作したい機器のメニュー起動が容易にできる入力表示装置を提供することができる。
【００５９】
なお、図６、図７に示すように、第２の実施の形態の構成は、第１の実施の形態において各エリアの静電容量電極（４２０、５２０、６２０、７２０）を除いた構成で、他の構成は同様であるので、重複する説明を省略する。
【００６０】
（第２の実施の形態に係る表示入力装置１の動作）
図８は、第２の実施の形態に係る表示入力装置の動作を説明するためのフローチャートである。以下、このフローチャートに従って説明する。
【００６１】
表示入力装置１の動作がスタートすると、判断部２４は、センター表示部１４のタッチ検出部１２５がタッチ検出されたかどうかを判断する（Ｓｔｅｐ２１）。タッチ検出された場合は、Ｓｔｅｐ２２へ進み、タッチ検出されない場合は初めに戻って繰返して判断が行なわれる。
【００６２】
次に、Ｄ席エアコンエリア４０１からセンター表示部１４の中心方向へ向ってのフリック操作かどうかを判断する（Ｓｔｅｐ２２）。フリック操作と判断された場合は、センター表示部１４にＤ席エアコンの操作メニューを表示してこのフローを終了する（Ｓｔｅｐ２３）。フリック操作と判断されない場合は、Ｓｔｅｐ２４へ進む。
【００６３】
上記の判断において、Ｄ席エアコンエリア４０１からセンター表示部１４の中心方向へ向ってのフリック操作かどうかは、センター表示部１４でｘ軸方向に配置された第２の電極１２３において、ｘｍの第２の電極１２３からｘ１の第２の電極１２３へ向って順に静電容量の検出信号がタッチ検出部１２５から入力されたかどうかで判断される。あるいは、ｘｍの第２の電極１２３からｘ１の第２の電極１２３へ向って一部の電極から順に静電容量の検出信号がタッチ検出部１２５から入力されたかどうかで判断される。したがって、Ｄ席エアコンエリア４０１からセンター表示部１４の方向へ向ってのフリック操作であればよく、センター表示部１４において、右から左の方向へフリック操作がされればよい。
【００６４】
次に、Ｐ席エアコンエリア５０１からセンター表示部１４の中心方向へ向ってのフリック操作かどうかを判断する（Ｓｔｅｐ２４）。フリック操作と判断された場合は、センター表示部１４にＰ席エアコンの操作メニューを表示してこのフローを終了する（Ｓｔｅｐ２５）。フリック操作と判断されない場合は、Ｓｔｅｐ２６へ進む。
【００６５】
次に、オーディオエリア６０１からセンター表示部１４の中心方向へ向ってのフリック操作かどうかを判断する（Ｓｔｅｐ２６）。フリック操作と判断された場合は、センター表示部１４にオーディオの操作メニューを表示してこのフローを終了する（Ｓｔｅｐ２７）。フリック操作と判断されない場合は、Ｓｔｅｐ２８へ進む。
【００６６】
次に、走行系エリア７０１からセンター表示部１４の中心方向へ向ってのフリック操作かどうかを判断する（Ｓｔｅｐ２８）。フリック操作と判断された場合は、センター表示部１４に走行系の操作メニューを表示してこのフローを終了する（Ｓｔｅｐ２９）。フリック操作と判断されない場合は、このフローを終了する。
【００６７】
以上示した一連の動作は、車両６の走行中や停車中等に常時行なうことができる。これにより、センター表示部１４に操作メニューを表示させたい機器の機器操作部からセンター表示部の中心方向へ向って、センター表示部１４上でフリック操作をすることで、所望の操作メニューを表示させることができる。これにより、直感的な操作により、操作したい機器のメニュー起動が容易にできる入力表示装置を提供することができる。
【００６８】
（本発明の実施の形態に係る表示入力装置の効果）
本発明の実施の形態に係る表示入力装置は、以下のような効果を有する。
（１）第１の実施の形態では、センター表示部１４にタッチ検出部１２５を備えると共に、センター表示部１４の周囲に配置される複数の機器（例えば、Ｄ席エアコン４００、Ｐ席エアコン５００、オーディオ６００、走行系制御機器７００）にも各エリアの静電容量電極（４２０、５２０、６２０、７２０）を備えた構成とされている。これにより、Ｄ席エアコンエリア４０１、Ｐ席エアコンエリア５０１、オーディオエリア６０１、走行系エリア７０１を起点としたセンター表示部１４方向へのフリック操作により、所望の機器、すなわち、フリック操作された機器操作部（４０１、５０１、６０１、７０１）の操作メニューをセンター表示部１４に表示することができる。したがって、操作したい機器からセンター表示部１４へ向ってのフリック操作という直感的な操作により、操作したい機器のメニュー起動が容易にできる入力表示装置を提供することができる。
（２）第２の実施の形態では、センター表示部１４に設けられたタッチ検出部１２５により、タッチ検出を行なって、フリック操作を判断する。したがって、第１の実施の形態と同様の効果を有すると共に、機器操作部（Ｄ席エアコンエリア４０１、Ｐ席エアコンエリア５０１、オーディオエリア６０１、走行系エリア７０１）の静電容量電極を除いた構成であるので、簡単で低コストな構成でフリック操作の判断ができるという効果を有する。
（３）センター表示部１４の周囲に配置される複数の操作機器エリアの各機能を、センター表示部１４に放り込むような操作（フリック操作）により、センター表示部１４上に各機能の詳細設定メニューが起動されるため、直感的なメニュー起動が可能となる。さらに、従来のメカＳＷ（スイッチ）が不要となるため、デザイン上の自由度が上がると共に、メカＳＷ数が減るため、残ったメカＳＷの中から所望のＳＷを探すのが容易となる効果を有する。
【００６９】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００７０】
１…表示入力装置、６…車両、１２…タッチセンサ部、１４…センター表示部、２０…制御部、２２…表示コントローラ、２４…判断部、２６…表示画像生成部、３２…制御部、３４…センサコントローラ、３６…クロック信号生成部、３８…メモリ、４０…通信部、６０…センターコンソール、７０…車載ＬＡＮ、１２０…カバーガラス、１２１…検出面、１２２…第１の電極、１２３…第２の電極、１２４…駆動部、１２５…タッチ検出部、１４０…表示画面、２６０…表示画像情報、３８０…接続機器情報、４００…Ｄ席エアコン、４０１…Ｄ席エアコンエリア、４１０…ダイヤル、４１２…温度表示、４２０、４２１、４２２、４２３、４２４…静電容量電極、５００…Ｐ席エアコン、５０１…Ｐ席エアコンエリア、５１０…ダイヤル、５１２…温度表示、５２０、５２１、５２２、５２３、５２４…静電容量電極、６００…オーディオ、６０１…オーディオエリア、６１０…ダイヤル、６１２…メディア挿入口、６２０、６２１、６２２、６２３、６２４…静電容量電極、７００…走行系制御機器、７０１…走行系エリア、７１０…シフト操作部、７１４、ハザードランプ、７２０、７２１、７２２、，７２３、９２４…静電容量電極、指…８００
【図１】
0005734829.tif 000002
【図２】
0005734829.tif 000003
【図３】
0005734829.tif 000004
【図４】
0005734829.tif 000005
【図５】
0005734829.tif 000006
【図６】
0005734829.tif 000007
【図７】
0005734829.tif 000008
【図８】
0005734829.tif 000009